(57)【要約】【課題】本発明は、環境設定値の変更のために、環境設定値がどのように設定されているかを容易に調査できるようにし、システムの操作性を向上させることを課題としている。【解決手段】本発明は、ユーザがシステムを操作するための操作メニューの画面を表示する操作パネルと、システムを動作させるマザーボードと、操作メニューを制御する操作メニュープログラム、操作メニューの画面データ、環境設定値の現在値、及び工場出荷値とを記憶する不揮発性記憶装置と、実際に印刷を行うエンジンとを備えた印刷装置において、全ての前記環境設定値の現在値と前記工場出荷値とを比較し、その比較結果を操作パネルに表示する環境設定値比較表示プログラムと、環境設定値比較表示用画面データとを設けたことを特徴とする。【選択図】      図１
2004249623.tif 000002
【特許請求の範囲】
【請求項１】
ユーザがシステムを操作するための操作メニューの画面を表示する操作パネルと、システムを動作させるマザーボードと、操作メニューを制御する操作メニュープログラム、操作メニューの画面データ、環境設定値の現在値、及び工場出荷値とを記憶する不揮発性記憶装置と、実際に印刷を行うエンジンとを備えた印刷装置において、全ての前記環境設定値の現在値と前記工場出荷値とを比較し、その比較結果を操作パネルに表示する環境設定値比較表示プログラムと、環境設定値比較表示用画面データとを設けたことを特徴とする印刷装置操作方法。
【請求項２】
ユーザがシステムを操作するための操作メニューの画面を表示する操作パネルと、システムを動作させるマザーボードと、操作メニューを制御する操作メニュープログラム、操作メニューの画面データ、環境設定値の現在値、及び工場出荷値とを記憶する不揮発性記憶装置と、実際に印刷を行うエンジンとを備えた印刷装置において、全ての前記環境設定値の現在値と前記工場出荷値とを比較し、その比較結果を操作パネルに表示する環境設定値比較表示プログラムと、環境設定値比較表示用画面データとを設けるとともに、前記環境設定値を変更可能な操作メニューへの遷移の仕方を表示することを特徴とする印刷装置操作方法。
【請求項３】
前記環境設定値表示プログラムにより操作パネルに表示される環境設定値の比較結果は、現在値と工場出荷値とが異なる環境設定値に対してのみであることを特徴とする請求項１または２に記載の印刷装置操作方法。
【発明の詳細な説明】
【０００１】
【発明の属する技術分野】
本発明は、操作パネルより環境設定値を変更、記憶させることが可能である印刷装置操作方法に関するものである。
【０００２】
【従来の技術】
図２は、従来の、操作パネルを用いての環境設定値を変更できる印刷装置の構成を示す概略図である。
【０００３】
印刷装置１は、操作パネル２、マザーボード３、不揮発性記憶装置４、エンジン５を備えている。また、マザーボード３は、ネットワークを介して、ユーザが利用することができるコンピュータ６に接続されている。図３に、印刷装置１に対するネットワーク環境の一例を示す。図３のコンピュータＡ、Ｂは、図２のコンピュータ６と同等のものである。ユーザはネットワーク上のコンピュータ６、Ａ、Ｂから、専用のプログラムを実行することで、印刷装置１を用いて印刷を行ったり、システムの環境設定値を変更したりすることができる。マザーボード３は、コンピュータ６、Ａ、Ｂからユーザによって印刷装置１に送信された印刷データを、エンジン５が印刷を行うのに適合したデータに変換してエンジン５に送信する。エンジン５はその変換されたデータに従って印刷を行う。また環境設定値の変更に関しては、印刷装置１の仕様次第ではあるが、ネットワーク上のコンピュータ６、Ａ、Ｂからは所望値に変更できない環境設定値も存在する。逆に、コンピュータ６、Ａ、Ｂからのみ所望値に変更できる環境設定値も存在する。
【０００４】
環境設定値の変更は、操作パネル２からの操作によっても実行することができる。以下、操作パネル２からの環境設定値の変更に関して説明する。
【０００５】
操作パネル２は、ユーザがシステムを操作するためのボタンやユーザへのメッセージ等が描画されている操作メニューの画面データを、マザーボード３から受信して表示する。また、ユーザが操作パネル２に触れると、操作パネル２は、ユーザが操作パネル２のどの部分に触れたかの情報を、マザーボード３に送信する。
【０００６】
不揮発性記憶装置４は、各々の操作メニューにおいてユーザが操作パネル２のどの部分に触れた場合にどのような処理を行うかを制御する操作メニュープログラム７と、各々の操作メニューの画面データ８と、システムの環境設定値の現在値９および工場出荷値１０とを記憶している。
【０００７】
マザーボード３は、ユーザが操作パネル２のどの部分に触れたかの情報を操作パネル２から受信すると、操作メニュープログラム７に従い、必要に応じて環境設定値の現在値９を変更し、また新たに表示する操作メニューの画面データを操作パネル２へと送信する。
【０００８】
また、前述のネットワーク上のコンピュータ６、Ａ、Ｂからの環境設定値の変更と同様に、印刷装置１の仕様次第では、操作パネル２からは所望値に変更できない環境設定値や、操作パネル２からのみ所望値に変更できる環境設定値も存在する。
【０００９】
また、操作メニューの中には、全ての環境設定値に対して、環境設定値の現在値９を、工場出荷値１０に戻すことのできる操作メニューが設けられていることが多い。これは、ユーザによっては、一般的な環境設定値である工場出荷値１０にて印刷を行いたい場合と、特定の環境設定条件下で印刷を行いたい場合とが発生するためである（例えば、特許文献１参照。）。
【００１０】
図４に、操作パネル２に表示される操作メニュー画面の遷移の一例を示す。
【００１１】
操作メニューＩは、システムの電源を立ち上げた後、最初に表示される初期メニューである。操作メニューＩの画面にて、「システム」と表示されているボタンに触れると、操作メニューＩＩに遷移し、操作パネル２には操作メニューＩＩの画面が表示される。
【００１２】
操作メニューＩＩは、システムに対する様々な操作を行う操作メニューである。
操作メニューＩＩの画面にて、「操作パネル」と表示されているボタンに触れると、操作メニューＩＩＩに遷移し、操作パネル２には操作メニューＩＩＩの画面が表示される。
【００１３】
操作メニューＩＩＩは、操作パネル２に対する設定を行う操作メニューである。
操作メニューＩＩＩの画面にて、「コントラスト」と表示されているボタンに触れると、操作メニューＩＶに遷移し、操作パネル２には操作メニューＩＶの画面が表示される。
【００１４】
操作メニューＩＶは、環境設定値のひとつである操作パネル２のコントラスト値を設定する操作メニューである。操作メニューＩＶの画面にて、「Ｕｐ」と表示されているボタンに触れると、操作パネル２のコントラスト値が１増加し、「Ｄｏｗｎ」と表示されているボタンに触れると、操作パネル２のコントラスト値が１減少する。また、操作メニューＩＶの画面には、ユーザへのメッセージとして、操作パネル２のコントラスト値の現在値が表示されている。今、操作パネル２のコントラスト値の現在値は１６であるとする。また、操作パネル２のコントラスト値の工場出荷値は１０であるとする。
【００１５】
操作メニューＩＩの画面にて、「工場出荷値」と表示されているボタンに触れると、操作メニューＶに遷移し、操作パネル２には操作メニューＶの画面が表示される。
【００１６】
操作メニューＶは、全ての環境設定値を工場出荷値１０に戻すための操作メニューである。操作メニューＶの画面には、ユーザへのメッセージとして、「環境設定値を工場出荷値に戻しますか？」と表示されている。操作メニューＶの画面にて、「Ｙｅｓ」と表示されているボタンに触れると、全ての環境設定値が工場出荷値１０に戻る。また、「Ｎｏ」と表示されているボタンに触れると、環境設定値の変更は行われず、操作メニューＩＩへと戻り、操作パネル２には再び操作メニューＩＩの画面が表示される。
【００１７】
もしも操作メニューＶの画面において、「Ｙｅｓ」と表示されているボタンに触れたとすると、環境設定値は工場出荷値１０に戻るので、操作パネル２のコントラスト値もまた、１６から１０へと変更される。
【００１８】
以上の様にして、ユーザは操作パネル２から、任意の環境設定値を所望値に変更したり、工場出荷値１０に戻したりすることができる。
【特許文献１】
特開平７−２００９８号公報
【００１９】
【発明が解決しようとする課題】
しかしながら、ひとつの印刷装置１を多数のユーザが使用している場合、知らない間に環境設定値が変更されており、所望の印刷が出来ない場合がある。前述の通り、印刷装置１の仕様次第では、操作パネル２からしか設定ができない環境設定値も存在するため、操作メニュー等を熟知していないユーザには、どの環境設定値が変更されているために所望の印刷が出来ないのか調べるのに手間がかかるという問題があった。
【００２０】
本発明は、環境設定値の変更のために、環境設定値がどのように設定されているかを容易に調査できるようにすることによって、システムの操作性を向上させることを目的としている。
【００２１】
【課題を解決するための手段】
上記目的は、全ての環境設定値の現在値と工場出荷値とを比較し、その比較結果を操作パネルに表示する環境設定値比較表示プログラムと、環境設定値比較表示用画面データとを設けることにより達成される。
【００２２】
【発明の実施の形態】
以下本発明の実施例を、図１と図５により説明する。
【００２３】
図１は、操作パネルを用いて環境設定値を変更できる印刷装置の構成を示す概略図である。
【００２４】
印刷装置１、操作パネル２、マザーボード３、エンジン５、コンピュータ６、操作メニュープログラム７、操作メニューの画面データ８、環境設定値の現在値９、工場出荷値１０はそれぞれ図２と同様である。また、不揮発性記憶装置４には、図２におけるものに加えて、環境設定値比較表示プログラム１１と、環境設定値比較表示用データ１２とが新たに備えられている。
【００２５】
環境設定値比較表示プログラム１１は、前述の通り、環境設定値の現在値９と工場出荷値１０とを比較して、その結果を操作パネル２に表示するプログラムである。また環境設定値比較表示用画面データ１２は、環境設定値比較表示プログラム１１が環境設定値の現在値９と工場出荷値１０との比較結果を操作パネル２に表示するために用いる画面データである。
【００２６】
図５は、環境設定値比較表示に対する操作メニュー画面の遷移の一例を示す概略図である。操作メニューＩ、ＩＩＩ、ＩＶ、Ｖはそれぞれ図４と同様である。
【００２７】
操作メニューＩＩには、図４における「操作パネル」、「工場出荷値」と表示されているボタンに触れることによる操作メニュー遷移に加え、「設定値比較」と表示されているボタンに触れることによる操作メニューＶＩへの遷移が設けられている。操作メニューＩＩの画面にて、「設定値比較」と表示されているボタンに触れると、操作メニューＶＩに遷移し、操作メニュープログラム７は、環境設定値比較表示プログラム１１を起動する。
【００２８】
環境設定値比較表示プログラム１１は、最初に環境設定値の現在値９と、工場出荷値１０とを比較する。両者の比較が終了すると、環境設定値を比較した一覧を表示するための画面データを作成する。図５においては、操作メニューＶＩの画面には、環境設定値の名称、環境設定値の現在値９、および工場出荷値１０を表示する。
【００２９】
図５において、操作メニューＶＩの画面には、前述の操作パネル２のコントラスト値について表示されている。図４と同様に、コントラスト値の現在値は１６、工場出荷値は１０とする。また、操作メニューＶＩの画面の上方には、「設定値名」、「現在値」、「出荷値」という環境設定値比較表示項目がメッセージとして表示され、環境設定値比較表示項目メッセージの下方には、「設定値名」に対しては「コントラスト」、「現在値」に対しては「１６」、「出荷値」に対しては「１０」と表示される。
【００３０】
環境設定値比較表示プログラム１１には、操作メニューＶＩの画面に表示すべき環境設定値が多くてひとつの画面に表示しきれない場合に、操作メニューＶＩと同様の画面データを複数作成し、操作メニューの画面を分割して表示させる必要がある。一例として、図５では操作メニューＶＩの画面にて、「次へ」というボタンに触れると、操作メニューＶＩＩへと遷移するようにし、他の環境設定値に対する比較結果を操作メニューＶＩＩの画面にて表示させている。以下、全ての環境設定値に対する比較結果を操作パネル２に表示できるように、操作メニューＶＩＩＩ、ＩＸ、Ｘ、…といった具合に操作メニューを遷移させていく。
【００３１】
環境設定値比較表示プログラム１１による操作メニューＶＩの画面データの作成終了後、マザーボード３は、操作メニューＶＩの画面データを操作パネル２に送信する。操作パネル２は、操作メニューＶＩの画面を表示し、ユーザはこの情報を一覧することによって、各々の環境設定値の現在値９はいくつか、またどの環境設定値が工場出荷値１０から変更されているかを容易に調査することができる。
【００３２】
また、環境設定値の個数は多い場合には、環境設定値比較の画面が大量に作成されてしまい、ユーザが一覧するのに手間がかかる可能性も有るため、環境設定値比較表示プログラム１１に、現在値９と工場出荷値１０とが異なる環境設定値に対してのみ操作パネル２に表示させるようにするのも良い。
【００３３】
さらに、環境設定値の比較結果を一覧したユーザが、任意の環境設定値を変更したくなる場合も考えられる。その場合のユーザへの情報提供として、環境設定値の現在値９、工場出荷値１０と共に、その環境設定値を変更できる操作メニューへの遷移の仕方を表示させるのも良い。この場合、環境設定値比較表示プログラム１１に、環境設定値を変更できる操作メニューへの遷移の仕方を、環境設定値比較の画面へ表示させる機能を加える必要がある。また、環境設定値比較表示用画面データ１２にも、環境設定値を変更できる操作メニューへの遷移の仕方を表示するための画面データを加える必要がある。図６は、図５に対して、環境設定値比較表示項目に「操作メニュー」というメッセージと、その下方に、環境設定値を変更できる操作メニューへの遷移の仕方の表示が加えられらたものである。「操作メニュー」は、「システム→操作パネル→コントラスト」と表示される。ユーザが、操作パネル２のコントラスト値に対する環境設定値比較の画面を一覧して、操作パネルのコントラスト値を変更したくなった場合、前述の「システム→操作パネル→コントラスト」と表示される情報によって、コントラスト値を変更するには、どのように操作メニューを遷移させればよいかを、容易に把握することができる。
【００３４】
【発明の効果】
以上説明したように本発明によれば、環境設定値が工場出荷値と比較して変更されているか否かを、操作メニューやシステムを熟知していないユーザでも容易に調査することが可能となり、システムの操作性を向上させることができる。
【００３５】
また、ユーザの知らない間に他のユーザが環境設定値を変更したか否かも容易に調査できることにもなるので、環境設定値が変更されていたことによる不慮の印刷ミス、および印刷ミスによる用紙の無駄な消費の減少が期待できる。
【図面の簡単な説明】
【図１】本発明の実施例における、操作パネルを用いて環境設定値を変更できる印刷装置の構成を示す概略図。
【図２】従来の、操作パネルを用いての環境設定値を変更できる印刷装置の構成を示す概略図。
【図３】印刷装置に対するネットワーク環境の一例を示す概略図。
【図４】操作パネルに表示される操作メニュー画面の遷移の一例を示す概略図。
【図５】本発明の実施例における、環境設定値比較表示に対する操作メニュー画面の遷移の一例を示す概略図。
【図６】本発明の実施例における、環境設定値を変更できる操作メニューへの遷移の仕方を環境設定値比較表示に加えた場合の操作メニュー画面の遷移の一例を示す概略図。
【符号の説明】
１は印刷装置、２は操作パネル、３はマザーボード、４は不揮発性記憶装置、５はエンジン、６はマザーボード３にネットワーク接続されているコンピュータ、７は操作メニュープログラム、８は操作メニューの画面データ、９は環境設定値の現在値、１０は環境設定値の工場出荷値、１１は本発明における環境設定値比較表示プログラム、１２は本発明における環境設定値比較表示用画面データである。
【図１】
2004249623.tif 000003
【図２】
2004249623.tif 000004
【図３】
2004249623.tif 000005
【図４】
2004249623.tif 000006
【図５】
2004249623.tif 000007
【図６】
2004249623.tif 000008